(57)【要約】【課題】高温となるヘッドが人体に接触することを防ぐとともに、ヘッドの冷却が可能なハンドピースのヘッドカバーを提供すること。【解決手段】課題を解決するには、医療用ハンドピースのヘッドを覆うヘッドカバーであって、ヘッドカバーは、ハンドピースに取り付けられてヘッドを覆う状態において、ヘッドカバーとヘッドの間に、隙間が形成されるようにヘッドカバーを構成する。これにより、ヘッドの高温となる部位が、直接人体に触れることを防止すると共に、ヘッドが表面から放熱可能な冷却のための空間を確保することができヘッドカバーを提供することができる。また、このヘッドカバーをハンドピースに設けることで、安全性の高いハンドピースを提供することができる。【選択図】図３
2019146814.tif 000002
【特許請求の範囲】
【請求項１】
医療用ハンドピースのヘッドを覆うヘッドカバーであって、前記ヘッドカバーは、前記ハンドピースに取り付けられて前記ヘッドを覆う状態において、前記ヘッドカバーと前記ヘッドの間に、隙間が形成されることを特徴とするヘッドカバー。
【請求項２】
前記ヘッドカバーは、前記ハンドピースに取り付けられた状態において、前記ヘッドとの隙間を保つ隙間保持体を有することを特徴とする請求項１に記載のヘッドカバー。
【請求項３】
前記ヘッドカバーは、示温材を有することを特徴とする請求項１又は請求項２のいずれかに記載のヘッドカバー。
【請求項４】
請求項１から請求項３のいずれかに記載のヘッドカバーを備えた医療用ハンドピース。
【発明の詳細な説明】
【技術分野】
【０００１】
本発明は、治療箇所を切削する治療工具を回転自在に備え、この治療工具をモータにより回転させる医療用ハンドピース（以下、ハンドピース）に関するものである。
【背景技術】
【０００２】
従来から、外科治療や歯科治療の医療分野において、ハンドピースと呼ばれる手持ち器具を用いた治療が行われている。
ハンドピースは、ヘッドに備えられた治療工具を回転し、患部を切削して除去するものである。この様なハンドピースは、内部に備えられた治療工具を取り付ける工具保持体を回転する為の駆動機構が、回転時の摩擦熱により発熱して、ヘッドが熱くなることがある。
【０００３】
特に、この様な異常な発熱は、ハンドピースの滅菌や洗浄、注油などのメンテナンスが不十分であると、生じる恐れがある。
このような背景において、高温となったハンドピースのヘッドが、患者に直接的に触れることを防止するための技術が知られている（例えば、特許文献１参照）。特許文献１は、ハンドピースに装着する部材であるヘッドカバーに関する技術を開示している。
【０００４】
特許文献1に記載のハンドピースは、電気モータに接続される。ヘッドカバーは、このハンドピースのヘッドを覆うように装着される。つまり、ヘッドカバーは、円筒形状をなす前方環状領域と支持領域とで構成されている。そして、前方環状領域は、プッシュボタンを含むヘッドを、少なくとも部分的に取り囲む。
また、ヘッドカバーは、ハンドピースのグリップ等の外殻を構成する部位の材料と比較して、より低い熱伝導値を有する材料で構成されている。例えば、ヘッドカバーは、合成樹脂により構成される。
【０００５】
特許文献１に記載の技術では、ヘッドカバーで、歯科用ハンドピースのヘッドを取り囲んでいる。これにより、ハンドピースを使用中に、ヘッドカバーに人体が接触した場合であっても、ヘッドの熱による火傷等の発生を抑制することができる。
【先行技術文献】
【特許文献】
【０００６】
【特許文献１】米国特許出願公開第２０１２／００８５５６１号
【発明の概要】
【発明が解決しようとする課題】
【０００７】
特許文献1に記載の技術では、内部が発熱するヘッドを、合成樹脂などの熱伝導値が低い材料で取り囲んでいる。この材料の効果によって、ヘッドカバーの外側の温度の上昇は抑制される。つまり、ヘッド部の高温となる部位が、直接人体に触れることを防止できる。
しかしながら、ヘッドカバーは、ヘッドの外表面に密着した隙間が無い状態でハンドピースに設けられているので、ヘッドカバーの内側のヘッド自体の放熱が、この材料の効果によって妨げられる。つまり、ヘッドカバーによりヘッドの表面からの熱の放出が妨げられる。
これにより、特許文献1に記載の技術では、ヘッドカバーを装着しない場合に比較して、ヘッドが熱を蓄積して高温となり、高温状態に起因する不具合の発生確率が上昇する恐れがある。
【０００８】
本発明が解決しようとする課題は、高温となるヘッドが人体に直接接触することを防ぐとともに、ヘッドの冷却が可能なハンドピースのヘッドカバーを提供することである。
【課題を解決するための手段】
【０００９】
課題を解決するためには、課題を解決するには、医療用ハンドピースのヘッドを覆うヘッドカバーであって、ヘッドカバーは、ハンドピースに取り付けられてヘッドを覆う状態において、ヘッドカバーとヘッドの間に、隙間が形成されるようにヘッドカバーを構成すれば良い。また、このヘッドカバーをハンドピースに設けることにより、課題を解決することができる。
【発明の効果】
【００１０】
本発明によれば、ヘッドの高温となる部位が、直接人体に触れることを防止すると共に、ヘッドが表面から放熱可能な冷却のための空間を確保することができヘッドカバーを提供することができる。
また、このヘッドカバーをハンドピースに設けることで、安全性の高いハンドピースを提供することができる。
【図面の簡単な説明】
【００１１】
【図１】実施の形態１に係るハンドピースを示す図であり、（ａ）ハンドピースの上面図、（ｂ）ハンドピースの側面図、（ｃ）ハンドピースの下面図
【図２】図１（ａ）に示すＸ−Ｘ位置の断面図と接続するモータユニットの図
【図３】図１（ａ）に示すＸ−Ｘ位置におけるヘッドカバーのみの断面図
【図４】（ａ）ヘッドカバーの上面図、（ｂ）ヘッドカバーの側面図
【図５】実施の形態２に係るハンドピースを示す図であり、（ａ）ハンドピースの上面図、（ｂ）ハンドピースの下面図
【図６】実施の形態２に係る（ａ）ヘッドカバーの上面図、（ｂ）ヘッドカバーの側面図
【図７】図６（ａ）に示すＸ−Ｘ位置におけるヘッドカバーのみの断面図
【図８】実施の形態３に係る（ａ）ハンドピースの側面図、（ｂ）ヘッドカバーが高温に反応して変色した状態を示す側面図
【図９】図８におけるヘッドとハンドピースのヘッドカバーのみの断面図
【発明を実施するための形態】
【００１２】
（実施の形態１）
以下、発明の実施の形態１を図面を参照して説明する。
図１は、実施の形態１に係るハンドピースを示す図であって、（ａ）ハンドピースの上面図、（ｂ）ハンドピースの側面図、（ｃ）ハンドピースの下面図である。図２（ａ）は、図１（ａ）に示すＸ−Ｘ位置の断面図であり、接続されるモータユニットを模式的に示している。図２（ｂ）は、図２（ａ）の部分拡大図である。図３は、図１（ａ）に示すＸ−Ｘ位置におけるヘッドカバーのみの断面図である。図４は、（ａ）ヘッドカバーの上面図、（ｂ）ヘッドカバーの側面図である。
尚、本発明のハンドピースＨにおいて、ヘッド７０を備える側を「前」、モータユニットＭが連結される側を「後」とする。
【００１３】
図１及び図２を参照すると、歯科用ハンドピースＨは、ヘッド７０とグリップ１０を備える。ヘッド７０とグリップ１０は、外殻がチタニウム合金やアルミニウム合金などの金属により形成されている。ヘッド７０は、ハンドピースＨの先端部分を構成し、治療工具Ｔが着脱可能に取り付けられる。また、ヘッド７０は、後述するヘッドカバー１００に覆われている。
【００１４】
グリップ１０は、筒状のケーシング２０をから構成される。ケーシング２０の後端には、駆動源であるモータユニットＭが接続する。ケーシング２０は、前部ケーシング２１と後部ケーシング２２とから構成される。
本実施の形態では、前部ケーシング２１と後部ケーシング２２は、所定の傾斜角をなして接続されている。つまり、ハンドピースＨは、前部ケーシング２１と後部ケーシング２２が接続した位置から曲がった形状である所謂コントラアングルのハンドピースである。
【００１５】
尚、ケーシング２０は、前部ケーシング２１と後部ケーシング２２が直線的に接続するストレートハンドピースでもよい。また、ケーシング２は、前部ケーシング２１と後部ケーシング２２が一体のケーシングで構成してもよい。
そして、この様に筒状のケーシング２０の外面により構成されたグリップ１０は、使用者が握る部位を形成する。
【００１６】
図２を参照すると、後部ケーシング２２内には、軸受４０が固定されている。この軸受４０には、第１回転軸３０が回転可能に支持されている。第１回転軸３０の後端には、モータユニットＭがケーシング２０の後端に接続した状態において、モータの出力軸Ｊに係合する連結部３１が設けられている。
一方、第１回転軸３の前端には、第１歯車３２が設けられている。第１歯車３２は、モータの出力軸Ｊの回転が連結部３１を介して伝達されて回転する。
【００１７】
前部ケーシング２１内には、ジャケット８０が固定されて設けられている。ジャケット８０は、ヘッド７０から第１歯車３２に向けて延設されている。また、ジャケット８０は、中空円筒状の部材であり、第２回転軸９０が貫通する軸貫通孔８１と、軸受収容部８２、８３を備えている。
ジャケット８０は、前部ケーシング２Ｆの内壁に押し付けられることにより固定される。つまり、ジャケット８０は、前部ケーシング２Ｆの内部に圧入されている。尚、ジャケット８０は、第２回転軸９０が装着された状態で、前部ケーシング２１の後端から挿入される。
【００１８】
次に、第２回転軸９０は、ジャケット８０を介して、前部ケーシング２１内に回転可能に支持されている。第２回転軸９０は、ジャケット８０の内部において、軸収容部８２，８３に設けられた軸受５０に回転自在に支持されている。また、第２回転軸９０は、ジャケット８０を貫通している。
第２回転軸９０において、ジャケット８０の後端側から突出する部分には第２歯車９１が形成され、前端側から突出する部分には第３歯車９２が形成されている。
【００１９】
第２回転軸９０の第２歯車９１が第１歯車３２と噛合うことで、第１回転軸３０の回転を第２回転軸９０に伝達する。
本実施の形態の場合、この第１歯車３２と第２歯車９１とからなる歯車列（第１歯車列）は、第１歯車３２に第２歯車９１が内接している。つまり、第１歯車３２より第２歯車９１は歯数が少なく構成されている。
このように、第１歯車３２と、第１歯車３２より歯数が少ない第２歯車９１が噛み合うことで、第２回転軸９は第１回転軸３よりも増速される。つまり、第１回転軸３より第２回転軸９は、回転数が増加し、回転速度が速くなる。
【００２０】
次に、第２回転軸９０の第３歯車９２は、後述するヘッド７０に設けられる第４歯車７４と噛合うことで、第２回転軸９０の回転をヘッド７０の工具保持体７３に伝達する。ハンドピースＨは、このようにしてモータ（出力軸）の駆動力を第１回転軸３０、第２回転軸９０を介してヘッド７０に伝達し、治療工具Ｔを回転駆動する。
【００２１】
次に、図２〜図３を参照して、ヘッド７０について説明する。尚、図３における点線で示した部分は、ヘッド７０の内部に設けられている上軸受７５と下軸受７６の位置を示している。
ヘッド７の外殻は、筒部７１とネック部７２を有する。筒部７１は、下方に向けて窄む形状をなしている。
また、筒部７１には、上開口７１ａ、下開口７１ｂが開口する。ネック部７２は、筒部７１の側面から後方に向けて一体に立ち上がる筒状の部位であり、側面開口７２ａが形成されている。
【００２２】
そして、ヘッド７は、内部に工具保持体７３を備える。工具保持体７３は、治療工具Ｔが着脱可能に取り付けられる。
工具保持体７３の周囲には、第４歯車７４が形成されている。工具保持体７３は、ヘッド７の内部において、上側と下側にそれぞれ設けられた上軸受７５及び下軸受７６により、上下方向を軸に回転自在に支持される。
【００２３】
上軸受７５及び下軸受７６は、内輪及び外輪、そして、この内輪と外輪に挟み込まれたボールベアリングを有し、円環形状をなしている。外輪は、ヘッド７０内に固定されている。内輪は外輪に対して、ボールベアリングにより回転自在となっている。そして、工具保持体７３は、内輪の開口に保持される。
【００２４】
上軸受７５は、側面開口７２ａの上側に位置する。下軸受７６は、側面開口７２ａの下側に位置する。また、上軸受７５は、上開口７１ａの縁からネック部７２の立ち上がり部分７２ｂに至る部位で構成される段部７２ｃと、対向した位置関係となる。表現を変えると、工具保持体７３の回転軸を基準にみると、上軸受７５の軸方向外側に、段部７２ｃが位置する。
【００２５】
また、工具保持体７３に保持された治療工具Ｔは、下開口７１ｂから下方向に向けてヘッド７０の外部に突出した状態となる。上開口７１ａには、工具保持体７３から治療工具Ｔを外す為の保持解放ボタン７７が設けられる。使用者は、保持解放ボタン７７を下方向に押すことで、治療工具Ｔを工具保持体７３から着脱することができる。
ヘッド７０は、ネック部７２が前部ケーシング２１の前側の開口から前部ケーシング２１内に入り込み、前部ケーシング２１に固定される。この状態において、第２回転軸９０は、側面開口７２ａからヘッド７０の内部へ入り込む構成となっている
【００２６】
そして、第４歯車７４は、ヘッド７の内部に入り込んだ第３歯車９２と噛合い、第２歯車列が構成される。これにより、第２回転軸９０の回転を工具保持体７３に伝達する。
本実施形態では、第３歯車９２と第４歯車７４とからなる第２歯車列は、第３歯車９２より第４歯車７４の歯数が少なく設定されている。従って、第４歯車７４が形成された工具回転体７２は、第２回転軸９０よりも増速されて回転する。
以上のように各部を構成することで、治療工具Ｔが、モータの回転数より高い回転数で回転する（モータの回転速度より速く回転する）増速タイプのハンドピースＨが構成される。
【００２７】
次に、本発明の要部であるヘッドカバー１００を説明する。
図１〜図４を参照すると、ヘッドカバー１００は、ハンドピースの前端側に配置されて、ヘッド７０の外側を覆う部材である。このヘッドカバー１００は、後方に向く領域が切り欠かれた（切断された）円筒形状の保護部１０１と、保護部１０１の端から後方に向けて伸びる左右一対の保持部１０２を有する。保護部１０１は上方向から見ると、「Ｃ」文字形状をなしている。
また、保護部１０１を上方から見た場合、保護部１０１の内径Ｒ１は、ヘッドの円筒形状部分の直径Ｒ２より大きく構成される（Ｒ１＞Ｒ２）。
【００２８】
ヘッドカバー１００は、保護部１０１がバネ性を有する。本実施の形態の場合、左右の保持部１０２をそれぞれ左右方向に離れるように開き、開く力を加えなければ、元の形状に戻る特性がある。尚、保持部１０２が保護部１０１と接続する位置は、本実施の形態の場合、保護部１０１の端であるが、この端からずれた位置でもよい。
ヘッドカバー１００は、保護部１０１の後方に向く領域が切り欠かれている。そして、この切り欠かれた部分を左右から挟む保持部１０２を左右方向に離れる方向に広げることが可能である。この広げる力を加えるのを止めた場合、ヘッドカバー１００は、保護部１０１の弾性力で元の形状に戻るものであればよい。
【００２９】
つまり、ヘッドカバー１００の切り欠かれた部分が、完全に離れずに一部が繋がっていてもよく、保護部１０１の端が接触していても左右に離れる構成となっていればよい。尚、ヘッドカバー１００の元の形状の状態では、向かい合う左右の保持部１０２の距離ｄ１は、ハンドピースの左右方向の幅ｄ２により、小さく構成されている（ｄ２＞ｄ１）。
【００３０】
また、保護部１０１の上下方向の大きさは、ヘッド７０に設けられた上軸受７５の上面から下軸受７６の下面に至る高さＬと同じか、大きくなるように構成されている。
また、左右の保持部１０２の向かいあう部分の形状は、それぞれ、ヘッド７０に近い前部ケーシング２１の左側及び右側の形状に沿った形状に構成されている。
【００３１】
このようなヘッドカバー１００は、金属より熱伝導率の低い材料により構成される。また、ヘッドカバー１００は、使用した患者ごとに使い捨てる形態で用いる場合があるので、例えば、合成樹脂など、比較的容易に成形することが可能で、安価な材料が用いられる。
また、使い捨てをせずに使用する都度、滅菌等をして用いるヘッドカバー１００の場合、用いられる合成樹脂は、ＰＥＥＫ（ポリエーテルエーテルケトン樹脂）やＰＥＩ（ポリエーテルイミド樹脂）やＰＰＳＵ（ポリフェニルスルホン樹脂）などの耐熱性及び耐アルカリ性のものが用いられる。この様な材料により構成することで、滅菌、熱水洗浄、消毒などの再処理に耐えることができるヘッドカバー１００を構成することができる。
【００３２】
以上のヘッドカバー１００は、次に様にハンドピースＨに取り付けられる。
ヘッドカバー１００の左右の保持部１０２が開くように力を加え、ハンドピースＨに上方向より被せる。この時、ヘッドカバー１００の保護部１０１の内側に、ヘッド７０が位置するようにする。そして、左右に開いた保持部１０２を、ヘッドカバー１００の元の形状に戻ろうとする弾性力で閉じさせる。
【００３３】
ここで、ヘッドカバー１００の元の形状は、向かい合う左右の保持部１０２の距離ｄ１は、ハンドピースの左右方向の幅ｄ２により、小さく構成される（ｄ２＞ｄ１）。これにより、左右の保持部１０２が、ハンドピースＨのネック部７２から前部ケーシング２１の側面に至る部分を挟み込み、ヘッドカバー１００がハンドピースＨに取り付けられる。
また、ヘッドカバー１００の保護部１０１を上方から見た場合、保護部１０１の直径Ｒ１は、ヘッド７０の直径Ｒ２より大きく構成されている（Ｒ１＞Ｒ２）。これにより、保護部１０１とヘッド７０の間に、隙間ΔＭが形成される。
【００３４】
この様に、ヘッドカバー１００をハンドピースＨに取り付けると、保護部１０１がヘッド７０の周囲を覆うと共に、保護部１０１（ヘッドカバー１００）とヘッド７０の間に、隙間ΔＭが形成された状態となる。この隙間Ｍは、ヘッドカバー１００の外部の空間と連通している。
つまり、この隙間ΔＭが、ヘッド７０内部の熱をヘッドの表面から、放熱可能な空間となる。これにより、ヘッド７０を冷却するための空間を確保される。
【００３５】
以上のように各部を構成することで、ヘッド７０に直接人体が触れることを防止すると共に、ヘッド７０の冷却を妨げないヘッドカバー１００を構成することができる。
特に、本実施の形態のヘッドカバ１００は、ハンドピースＨの側面でヘッドカバー１００を支持するので、ヘッドカバー１００とヘッド７０との間に形成された空間に、この空間を流れる空気を遮るものが無い。
【００３６】
また、保護部１０１の上下方向の大きさは、ヘッド７０に設けられた上軸受７５の上面から下軸受７６の下面に至る高さＬと同じか、大きくなるように構成されているので、軸受の発熱により高温となるヘッド７０をヘッドカバー１００で覆うことができる。
以上より、本実施の形態のヘッドカバー１００によれば、ヘッド７０の高温となる部位が、直接人体に触れることを防止すると共に、ヘッド７０が表面から放熱可能な冷却のための空間を確保することができる。
【００３７】
尚、本実施の形態において、ヘッド７０の上部である保持解放ボタン７７は、ヘッドカバー１００に覆われていない形態であるが、保持解放ボタン７７の上方をヘッドカバー１００で覆うように構成してもよい。  
このように構成することで、ヘッド７０の異常な温度上昇に伴い保持解放ボタン７７が熱くなっても、保持解放ボタン７７が直接人体に触れることを防止することができる。
【００３８】
特に、保持解放ボタン７７を覆うヘッドカバー１００の部分を、柔軟性がある形態で構成することで、ヘッドカバー１００を取り付けた状態でも、保持解放ボタン７７を押すことができる。
また、ヘッドカバー１００の上面に、隙間ΔＭと連通する開口を適宜設けるとよい。このように構成することにより、この開口を通って、隙間ΔＭの内部の空気がヘッドカバー１００の外側に排出されやすくなる。
【００３９】
（実施の形態２）
次に、図５〜図７を参照して、実施の形態２を説明する。
図５は、本実施の形態に係るハンドピースを示す図であり、（ａ）ハンドピースの上面図、（ｂ）ハンドピースの下面図を示す。図６は、本実施の形態に係る（ａ）ヘッドカバーの上面図、（ｂ）ヘッドカバーの側面図を示す。図７は、図５（ａ）に示すＹ−Ｙ位置におけるヘッドカバーのみの断面図とハンドピースを示す。尚、実施の形態１と同じ構成については、説明を省略する。
【００４０】
ヘッドカバー１００の保護部１０１の内面には、保護部１０１をヘッド７０に対して支持する突起１０３が設けられている。突起１０３は、保護部１０１の内側に向かって、突出して形成されている。つまり、保護部１０１の形状である円筒の中心に向かって突出している。
また、３つの突起１０３は、互いの間隔が同じになるように、保護部１０１に設けられている。つまり、突起１０３は、保護部１０１の中心を基準に見て、おおよそ１２０度間隔で均等に配置されている。
【００４１】
以上のヘッドカバー１００をハンドピースＨに取り付けた状態において、突起１０３は、ヘッド７０の外周面にヘッドカバー１００を３点で支持するになる。これにより、突起１０３で、保護部１０１とヘッド７０との間に隙間ΔＭを形成する。つまり、突起１０３は、保護部１０１とヘッド７０の間に隙間を形成し保持する隙間保持体となる。
【００４２】
また、突起１０３は保護部１０１の中心から１２０度間隔で均等に配置されており、ヘッド７０の表面は円筒状なので、保護部１０１の中心と、治療工具Ｔの位置を一致させることができる。
つまり、保護部１０１をヘッド７０の外周面に対して３点で支持することで、両部位の隙間を遮る突起が最小の数の状態で、ヘッドカバーのヘッドを覆う部分の中心と、治療工具Ｔの位置を一致させやすく構成できる。
【００４３】
このように各部を構成することで、使用者が、使用時にヘッド７０をいずれの方向から見ても、ヘッドカバー１００と治療工具Ｔの位置関係（距離関係）を、おおよそ同じにすることができる。従って、使用者が目視しながら治療部位に治療工具Ｔを接触させるとき、いずれの方向からも、ヘッドカバー１００と治療工具Ｔの距離感覚を等しくすることができる。
【００４４】
尚、突起１０３の形状は、所定の長さがあるリブ状でもよい。例えば、上下方向に長く伸びるリブ状に突出した形状でもよい。突起１０３を帯状に形成することで、ヘッドカバー１００の強度を強化することができる。突起１０３を形成する所定の長さのあるリブは、上下方向に限らず、保護部１０１の周方向やらせん状に設けてもよい。
突起１０３は、ヘッド７０とヘッドカバー１００の間に隙間を形成し、その隙間内部の空気が、隙間の外部に出ることが可能な形態であればよい。
【００４５】
（実施の形態３）
次に、図８〜図９を参照して、実施の形態３を説明する。
図８は、実施の形態３に係るハンドピースの側面図であり、ヘッドカバーが高温に反応して変色した状態を示す。図９は、図８に示すハンドピースの一部断面図である。尚、図９における断面位置は、ハンドピースの左右中心位置である。また、図９の点線で示す部位は、ヘッド７０内部に位置する上軸受７５、下軸受７６を示す。尚、実施の形態１と同じ構成については、説明を省略する。
【００４６】
図８を参照すると、ヘッドカバー１００は、示温材を含む材料により構成されている。示温材とは、ある温度に達すると色が変わる特殊な顔料を含む材料である。本実施の形態の場合、およそ４０度で色が変色する特性の示温材を用いている。また、この示温材は、高温状態で変色した後、温度が下がると元の色に戻る可逆性のものである。
【００４７】
図９を参照すると、ヘッドカバー１００の保護部１０１の内面には、第１突起１０４と第２突起１０５が設けられている。第１突起１０４は、保護部１０１の上側に位置する。第２突起１０５は、保護部１０１の下側に位置する。
このヘッドカバー１００をハンドピースに取り付けると、上軸受７５の径方向外側に第１突起１０４が位置し、ヘッド７０の表面に接している。また、下軸受７６の径方向外側に第２突起１０５が位置し、ヘッド７０の表面に接している。
第１突起１０４と第２突起１０５により、ヘッド７０とヘッドカバー１００の間に隙間ΔＭが形成される。第１突起１０４と第２突起１０５は、隙間保持体である。
【００４８】
以上のようにヘッドカバー１００を構成してハンドピースに取り付けることにより、ヘッド７０の高温となる部位が、直接人体に触れることを防止すると共に、ヘッド７０が表面から放熱可能な冷却のための空間となる隙間を確保することができる。
更に、図８に示すように、ヘッドカバー１００は、示温材を含んだ材料により構成されているので、ヘッド７０が高温となると、その熱により変色する（図中、網掛け部分Ｃ）。これにより、使用者は、ヘッド７０が高温となったことを視覚的に把握することができる。
【００４９】
特に、ヘッドカバー１００をヘッド７０に対して支持する第１突起１０４と第２突起１０５を、それぞれ、上軸受７５の径方向に位置するヘッド７０の表面、下軸受７６の径方向に位置するヘッド７０の表面に接触させている。
ヘッド７０は、内部の軸受７５，７６に近い部分から高温となる。つまり、軸受の径方向の位置にあるヘッドの部分から高温となる。従って、当該部分に突起１０４，１０５を接触させることで、ヘッドカバー１００はヘッド７０から熱伝導により温度が上がり、変色しやすくなる。
これにより、使用者は、ヘッドカバー１００の変色から、ヘッド７０が高温状態となったことをとらえやすくなる。
【００５０】
同様に、ヘッドカバー１００は、上開口７１ａの縁からネック部７２の立ち上がり部分７２ｂに至る部位で構成される段部７２ｃに接する形状にするとよい。段部７２ｃ及びこの周囲は、上軸受７５の軸方向外側に位置する。
従って、上軸受７５が高温になった場合、ヘッドカバー１００の上面がこの熱の影響で変色しやすくなる。これにより、使用者は、ヘッド７０が高温となったことをとらえやすい。特にこの位置は、ヘッドカバー１００の上面なので、使用者が、作業中にヘッドカバー１００の変色に気づきやすい位置である。
【００５１】
また、本実施の形態のヘッドカバー１００を構成する示温材は、高温状態で変色した後、温度が下がると元の色に戻る可逆性のものである。これにより、ヘッドカバー１００をオートクレーブ等により高温で滅菌しても、再びヘッド７０の温度状態の検知手段として用いることができる。
【００５２】
尚、第１突起１０４及び第２突起１０５の形状は、保護部１０１の周方向に長く伸びる幅のある形状としてもよい。そして、突起１０４，１０５を軸受７５，７６の外側を囲むように配置することで、突起１０４，１０５とヘッド７０の表面との接触面積を増やすことができる。
これにより、ヘッドカバー１００とヘッド７０が接触する面積が大きくなるので、ヘッドカバー１００がヘッド７０の温度の影響を受けやすくすることができる。従って、ヘッド７０の温度に応じて、ヘッドカバー１００の変色させやすくなり、よりヘッド７０が高温となったことを視覚的に把握することができる。
【００５３】
本実施の形態において、ヘッドカバー１００の材料に示温材を用いた形態で説明したが、ヘッドカバー１００の材料に示温材を含ませるのではなく、示温材を含む部材をヘッドカバー１００の表面に設けてもよい。例えば、示温材を含むテープをヘッドカバー１００に張り付けてもよい。
示温材を含むテープをヘッドカバー１００に設ける場合、ヘッド７０が高温となっ場合に、熱の影響を受けやすい位置に設けるとよい。例えば、ヘッド７０と接触する、突起１０４，１０５に対向した位置に設けるとよい。
【００５４】
以上、各実施の形態で説明した発明は、モータの回転駆動力を、モータの回転速度より増速して治療工具Ｔに伝達する増速ハンドピースで、特に有効である。これは、回転数が大きいほど、上軸受７５又は下軸受７６において発熱が生じやすく、ヘッドが高温となる可能性が高いからである。
【００５５】
これに加え、接続する歯車の歯数をヘッドに近い歯車ほど大きくして、モータの回転より治療工具の回転数が小さくなる減速ハンドピースでも、上軸受７５又は下軸受７６において発熱が生じる可能性があり、各実施の形態で説明した発明は効果がある。また、モータの回転と治療工具の回転数が同じである等速ハンドピースでも、同じ理由により効果がある。
【符号の説明】
【００５６】
Ｔ  治療工具
Ｍ  モータユニット
Ｊ  出力軸
Ｈ  ハンドピース
１０  グリップ
２０  ケーシング
２１  前部ケーシング
２２  後部ケーシング
３０  第１回転軸
３１  連結部
３２  第１歯車
４０  軸受
５０  軸受
７０  ヘッド
７１  筒部
７１ａ  上開口
７１ｂ  下開口
７２  ネック部
７２ａ  側面開口
７２ｃ  段部
７３  工具保持体
７４  第４歯車
７５  上軸受
７６  下軸受
７７  保持解放ボタン
８０  ジャケット
８１  軸貫通孔
８２  軸受収容部
８３  軸受収容部
９０  第２回転軸
９１  第２歯車
９２  第３歯車
１００  ヘッドカバー
１０１  保護部
１０２  保持部
１０３  突起
１０４  第１突起
１０５  第２突起
【図１】
2019146814.tif 000003
【図２】
2019146814.tif 000004
【図３】
2019146814.tif 000005
【図４】
2019146814.tif 000006
【図５】
2019146814.tif 000007
【図６】
2019146814.tif 000008
【図７】
2019146814.tif 000009
【図８】
2019146814.tif 000010
【図９】
2019146814.tif 000011
【手続補正書】
【提出日】平成30年11月21日(2018.11.21)
【手続補正１】
【補正対象書類名】特許請求の範囲
【補正対象項目名】請求項１
【補正方法】変更
【補正の内容】
【請求項１】
グリップを構成するケーシングと、前記ケーシングに固定されて治療工具が着脱可能に取り付けられるヘッドを備えるハンドピースの前記ヘッドを覆うヘッドカバーであって、
前記ヘッドの内部には、前記治療工具を保持する工具保持体と、前記工具保持体を回転自在に支持する軸受を備え、
前記ヘッドカバーは、後方に向く領域が切り欠かれた円筒形状の保護部と、前記切り欠かれた部分を左右から挟むと共に前記保護部から後方に向けて伸びる一対の保持部を有し、一対の前記保持部を左右方向に広げると元の形状に戻ろうとする弾性を有し、
前記ヘッドカバーが前記ハンドピースに取り付けられて前記ヘッドを覆う状態において、前記ヘッドカバーは、前記保護部の内側に前記ヘッドが位置すると共に、一対の前記保持部は弾性により左右方向から前記ケーシングの側面を挟み込み取り付けられ、前記保護部と前記ヘッドの間には、隙間が形成されることを特徴とするヘッドカバー。
【手続補正２】
【補正対象書類名】明細書
【補正対象項目名】０００９
【補正方法】変更
【補正の内容】
【０００９】
課題を解決するためには、グリップを構成するケーシングと、ケーシングに固定されて治療工具が着脱可能に取り付けられるヘッドを備えるハンドピースのヘッドを覆うヘッドカバーであって、ヘッドの内部には、治療工具を保持する工具保持体と、工具保持体を回転自在に支持する軸受を備え、ヘッドカバーは、後方に向く領域が切り欠かれた円筒形状の保護部と、切り欠かれた部分を左右から挟むと共に保護部から後方に向けて伸びる一対の保持部を有し、一対の保持部を左右方向に広げると元の形状に戻ろうとする弾性を有し、ヘッドカバーがハンドピースに取り付けられてヘッドを覆う状態において、ヘッドカバーは、保護部の内側にヘッドが位置すると共に、一対の保持部は弾性により左右方向からケーシングの側面を挟み込み取り付けられ、保護部とヘッドの間には、隙間が形成されるようにヘッドカバーを構成すれば良い。また、このヘッドカバーをハンドピースに設けることにより、課題を解決することができる。
【手続補正書】
【提出日】平成31年3月15日(2019.3.15)
【手続補正１】
【補正対象書類名】特許請求の範囲
【補正対象項目名】請求項１
【補正方法】変更
【補正の内容】
【請求項１】
グリップを構成して後端にモータユニットが接続するケーシングと、前記ケーシングの前側に固定されて治療工具が着脱可能に取り付けられるヘッドを備えるハンドピースの前記ヘッドを覆うヘッドカバーであって、
前記ヘッドは、内部に前記治療工具を保持する工具保持体と、前記工具保持体を回転自在に支持する上軸受と下軸受を備え、前記治療工具は、下方向に向けて前記ヘッドの外部に突出するものであり、
前記ヘッドカバーは、前記ハンドピースに取り付けられた状態において、後方に向く領域が切り欠かれた円筒形状の保護部と、前記切り欠かれた部分を左右から挟むと共に前記保護部から後方に向けて伸びる左右一対の保持部を有し、一対の前記保持部を左右方向に離れるように広げると元の形状に戻ろうとする弾性を有し、
前記保護部を上方向から見た場合、該保護部の内径は、前記ヘッドの円筒形状の直径より大きく構成されており、また、前記保護部の上下方向の大きさは、前記上軸受の上面から前記下軸受の下面に至る高さと同じか大きく構成されており、
前記ヘッドカバーが前記ハンドピースに取り付けられて前記ヘッドを覆う状態において、前記ヘッドカバーは、前記保護部の内側には、前記ヘッドとの間に前記ヘッドカバーの外部の空間と連通する隙間を空けた状態で、前記ヘッドが位置すると共に、一対の前記保持部が弾性により左右方向から前記ケーシングの側面を挟み込むことで前記ハンドピースに取り付けられることを特徴とするヘッドカバー。
【手続補正２】
【補正対象書類名】明細書
【補正対象項目名】０００９
【補正方法】変更
【補正の内容】
【０００９】
課題を解決するためには、グリップを構成して後端にモータユニットが接続するケーシングと、ケーシングの前側に固定されて治療工具が着脱可能に取り付けられるヘッドを備えるハンドピースのヘッドを覆うヘッドカバーであって、ヘッドは、内部に治療工具を保持する工具保持体と、工具保持体を回転自在に支持する上軸受と下軸受を備え、治療工具は、下方向に向けて前記ヘッドの外部に突出するものであり、ヘッドカバーは、ハンドピースに取り付けられた状態において、後方に向く領域が切り欠かれた円筒形状の保護部と、切り欠かれた部分を左右から挟むと共に保護部から後方に向けて伸びる左右一対の保持部を有し、一対の保持部を左右方向に離れるように広げると元の形状に戻ろうとする弾性を有し、保護部を上方向から見た場合、保護部の内径は、ヘッドの円筒形状の直径より大きく構成されており、また、保護部の上下方向の大きさは、上軸受の上面から下軸受の下面に至る高さと同じか大きく構成されており、ヘッドカバーがハンドピースに取り付けられてヘッドを覆う状態において、ヘッドカバーは、保護部の内側には、ヘッドとの間にヘッドカバーの外部の空間と連通する隙間を空けた状態で、ヘッドが位置すると共に、一対の保持部が弾性により左右方向からケーシングの側面を挟み込むことでハンドピースに取り付けられるようにヘッドカバーを構成すれば良い。また、このヘッドカバーをハンドピースに設けることにより、課題を解決することができる。